(57)【要約】【課題】医療用容器に液状物を注入する作業を容易にし、且つ、医療用容器に医療用チューブを接続した場合に医療用チューブの取り扱い性を向上させる。【解決手段】医療用容器１は、パウチ１０と、パウチ内に液状物を注入し、又はパウチ内に収納された液状物を取り出すためのポート２０と、ポートを上にして医療用容器を吊り下げるための懸吊手段３１と、ポートに接続される可撓性を有する医療用チューブ又は医療用チューブを束ねた結束手段を係止するための係止手段３０とを備えている。【選択図】図１
2008132302.tif 000002
【特許請求の範囲】
【請求項１】
液状物を収納する医療用容器であって、
パウチと、
前記パウチ内に前記液状物を注入し、又は前記パウチ内に収納された前記液状物を取り出すためのポートと、
前記ポートを上にして前記医療用容器を吊り下げるための懸吊手段と、
前記ポートに接続される可撓性を有する医療用チューブ又は前記医療用チューブを束ねた結束手段を係止するための係止手段と
を備えることを特徴とする医療用容器。
【請求項２】
前記ポートは、その一端に前記パウチに接合される接合部を有し、その他端にキャップが装着されるキャップ装着部を有し、前記接合部と前記キャップ装着部との間に前記懸吊手段と前記係止手段とが設けられている請求項１に記載の医療用容器。
【請求項３】
前記係止手段が一対のアームを有する請求項１に記載の医療用容器。
【請求項４】
前記一対のアームのうちの少なくとも一方の先端部分は、その根元部分に比べて強度が小さい請求項３に記載の医療用容器。
【請求項５】
前記一対のアームを含む面は、前記パウチの主面とほぼ平行である請求項３に記載の医療用容器。
【請求項６】
前記懸吊手段が前記一対のアームのうちの一方のアームである請求項３に記載の医療用容器。
【請求項７】
前記懸吊手段である前記一方のアームは、前記一対のアームのうちの他方のアームに対して、前記パウチとは反対側に設けられている請求項６に記載の医療用容器。
【請求項８】
前記懸吊手段である前記一方のアームの内周縁に切り欠きが形成されている請求項６に記載の医療用容器。
【請求項９】
前記懸吊手段である前記一方のアームの強度は、他方のアームの強度より大きい請求項６に記載の医療用容器。
【請求項１０】
前記懸吊手段と前記係止手段とは共通する部材を含む請求項１に記載の医療用容器。
【請求項１１】
前記懸吊手段が貫通孔である請求項１に記載の医療用容器。
【請求項１２】
前記貫通孔の前記周縁に切り欠きが形成されている請求項１１に記載の医療用容器。
【請求項１３】
前記懸吊手段が前記ポートの近傍に設けられている請求項１に記載の医療用容器。
【請求項１４】
前記懸吊手段が前記ポートと一体に設けられている請求項１に記載の医療用容器。
【請求項１５】
前記係止手段が前記ポートと一体に設けられている請求項１に記載の医療用容器。
【請求項１６】
前記ポートは、その一端に前記パウチと接合される接合部を有し、その他端に前記キャップが装着されるキャップ装着部を有し、前記接合部と前記キャップ装着部との間に前記ポートを把持する把持部が設けられている請求項１に記載の医療用容器。
【請求項１７】
前記懸吊手段により前記医療用容器を吊り下げたとき、前記パウチ内の前記液状物の量を判別するための目盛りが前記パウチに設けられている請求項１に記載の医療用容器。
【請求項１８】
更に、前記ポートに取り付けられるキャップを備える請求項１に記載の医療用容器。
【請求項１９】
更に、前記キャップに接続される可撓性を有する医療用チューブを備える請求項１８に記載の医療用容器。
【請求項２０】
パウチに取り付けられて、前記パウチ内に液状物を注入し又は前記パウチ内に収納された液状物を取り出すためのポートであって、
前記液状物が通過する通液孔と、
前記パウチに接合される接合部と、
キャップが装着されるキャップ装着部と、
前記パウチが接合された医療用容器を吊り下げるための懸吊手段と、
前記キャップ装着部に前記キャップを介して接続される可撓性を有する医療用チューブ又は前記医療用チューブを束ねた結束手段を係止するための係止手段と
を備えることを特徴とするポート。
【発明の詳細な説明】
【技術分野】
【０００１】
本発明は、経腸栄養法や静脈栄養法などを行う際に患者に投与する液状物を収納するための医療用容器に関する。また、本発明は、医療用容器に対して液状物の注入又は取り出しを行うためのポートに関する。
【背景技術】
【０００２】
経口によらずに患者に栄養や薬剤を投与する方法として経腸栄養法や静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液ラインを介してブドウ糖などの栄養成分や薬剤成分を含む液状物（一般に「輸液」と呼ばれる）が投与される。
【０００３】
経腸栄養法や静脈栄養法を行う際には、患者に投与される液状物を収納するための医療用容器が必要である。従来の医療用容器の一例を図１２を用いて説明する（特許文献１参照）。
【０００４】
図１２に示す医療用容器１００は、パウチ１１０と、パウチの周縁部１１３の一部に装着された注出具１０２とを備える。パウチ１１０は、表面シート、裏面シート、及び底面シートの３枚の柔軟なプラスチックシートの周縁部をシールして作成されている。パウチ１１０は、底面シート側を下側にして自立させることができる、いわゆるスタンディングパウチである。周縁部１１３の注出具１０２から離れた位置に把持部１２０が形成されており、把持部１２０内にプラスチック製の線状ファスナー１２１が設けられている。把持部１２０の外端シール部１２５と線状ファスナー１２１との間には開封予定部１２２が設けられている。
【０００５】
空の容器１００に液状物を注入し、この液状物を患者に投与する場合の、容器１００の使用方法を以下に説明する。
【０００６】
まず、開封予定部１２２に沿って外端シール部１２５を切り落とし、線状ファスナー１２１を開く。次いで、パウチ１１０を自立させ、把持部１２０の両側の一対の側端シール部１２６を指で挟んで線状ファスナー１２１を開口させた状態で、パウチ１１０内に液状物を注入する。所定量の液状物を注入した後、線状ファスナー１２１を閉じる。次いで、注出具１０２を開栓し、これに医療用チューブを接続する。そして、周縁部１１３に形成された開口１１２を利用して容器１００を吊り下げて、注出具１０２及び医療用チューブを介して液状物を患者に投与する。
【特許文献１】特開２００５−２０６２２１号公報
【発明の開示】
【発明が解決しようとする課題】
【０００７】
以上のような従来の医療用容器１００は以下のような課題を有している。
【０００８】
第１に、容器１００内に液状物を注入する際には、作業者は容器１００を保持し続けなければならず、作業性が悪いという課題がある。即ち、容器１００に液状物を注入する場合、一対の側端シール部１２６を指で挟んで線状ファスナー１２１を開口させなければならない。線状ファスナー１２１を含むパウチ１１０は柔軟な材料からなるため、指により一対の側端シール部１２６を挟まないと、液状物を注入するのに必要な大きさに開口させることができない。更に、線状ファスナー１２１が設けられた開口が上方を向いた状態を維持しながら液状物を容器１００内に安定して注入するためには、液状物を注入している間中、作業者は一対の側端シール部１２６を含むパウチ１１０を保持し続けなければならない。
【０００９】
第２に、注出具１０２に接続された医療用チューブの取り扱いが煩雑であるという課題がある。通常、容器１００内へ液状物を注入し、注出具１０２に医療用チューブを接続する作業は、看護師等がいる作業室内で行われる。複数の患者に対して液状物の投与をそれぞれ行う場合には、複数の容器１００に対してこの作業が作業室内でまとめて行われることもある。その後、液状物が注入された医療用チューブ付きの容器１００が患者がいる病室に運ばれて、患者に液状物が投与される。従って、容器１００に医療用チューブが接続された後、患者に液状物が投与されるまでの間、容器１００とこれに接続された医療用チューブとを一緒にして取り扱う必要があるが、長尺の医療用チューブがばらけたり、医療用チューブが絡まったりするという課題がある。また、複数の患者のためにセットされた複数の容器１００にそれぞれ接続された医療用チューブが相互に絡み合うという課題がある。
【００１０】
本発明は、従来の医療用容器の上記の課題を解決し、容器に液状物を注入する作業が容易で、且つ、容器に医療用チューブを接続した場合に医療用チューブの取り扱い性が向上する医療用容器及びポートを提供することを目的とする。
【課題を解決するための手段】
【００１１】
本発明の医療用容器は、液状物を収納する医療用容器であって、パウチと、前記パウチ内に前記液状物を注入し、又は前記パウチ内に収納された前記液状物を取り出すためのポートと、前記ポートを上にして前記医療用容器を吊り下げるための懸吊手段と、前記ポートに接続される可撓性を有する医療用チューブ又は前記医療用チューブを束ねた結束手段を係止するための係止手段とを備えることを特徴とする。
【００１２】
本発明のポートは、パウチに取り付けられて、前記パウチ内に液状物を注入し又は前記パウチ内に収納された液状物を取り出すためのポートであって、前記液状物が通過する通液孔と、前記パウチに接合される接合部と、キャップが装着されるキャップ装着部と、前記パウチが接合された医療用容器を吊り下げるための懸吊手段と、前記キャップ装着部に前記キャップを介して接続される可撓性を有する医療用チューブ又は前記医療用チューブを束ねた結束手段を係止するための係止手段とを備えることを特徴とする。
【発明の効果】
【００１３】
本発明によれば、パウチ内に液状物を注入する作業が容易であり、且つ、医療用容器に医療用チューブを接続した場合に医療用チューブの取り扱い性が向上する。
【発明を実施するための最良の形態】
【００１４】
上記の本発明の医療用容器において、前記ポートは、その一端に前記パウチに接合される接合部を有し、その他端にキャップが装着されるキャップ装着部を有し、前記接合部と前記キャップ装着部との間に前記懸吊手段と前記係止手段とが設けられていることが好ましい。これにより、ポートと懸吊手段と係止手段とを一体成形することができるので、部品点数を削減でき、医療用容器の製造工程を簡単化できる。また、ポートを小型化することができる。
【００１５】
前記係止手段が一対のアームを有することが好ましい。これにより、係止手段に対する医療用チューブ又は医療用チューブを束ねた結束手段の係止作業及び開放作業を容易に行うことができる。
【００１６】
前記一対のアームのうちの少なくとも一方の先端部分は、その根元部分に比べて強度が小さいことが好ましい。これにより、少なくとも一方のアームの先端部分が容易に弾性変形するので、係止手段に対する医療用チューブ又は医療用チューブを束ねた結束手段の係止作業及び開放作業を一層容易に行うことができる。
【００１７】
前記一対のアームを含む面は、前記パウチの主面とほぼ平行であることが好ましい。これにより、複数の空の医療用容器をかさばることなく重ねて小さく収納することができ、また、これらを積み重ねたときに荷崩れがしにくくなる。更に、この一対のアームをポートに設けた場合には、成形性の容易なポートが得られる。
【００１８】
前記懸吊手段が前記一対のアームのうちの一方のアームであることが好ましい。係止手段を構成する一方のアームを懸吊手段として用いることにより、部品点数を削減でき、ポートを小型化することができる。
【００１９】
前記懸吊手段である前記一方のアームは、前記一対のアームのうちの他方のアームに対して、前記パウチとは反対側に設けられていることが好ましい。一対のアームのうち、パウチとは反対側に設けられたアームを懸吊手段として用いることにより、ポートの通液孔の開口が上を向いた状態で医療用容器を吊り下げることができる。
【００２０】
前記懸吊手段である前記一方のアームの内周縁に切り欠きが形成されていることが好ましい。これにより、例えばフックに前記一方のアームを係合させて医療用容器を吊り下げたときに、前記一方のアームにおけるフックの係合位置が一定となるので、医療用容器の吊り下げ時の姿勢を一定に維持することができる。
【００２１】
前記懸吊手段である前記一方のアームの強度は、他方のアームの強度より大きいことが好ましい。これにより、医療用容器を吊り下げるのに必要な機械的強度と、医療用チューブ又は医療用チューブを束ねた結束手段の係止作業及び開放作業の容易性とを、容易に両立させることができる。
【００２２】
前記懸吊手段と前記係止手段とは共通する部材を含むことが好ましい。これにより、部品点数を削減でき、ポートを小型化することができる。
【００２３】
本発明の医療用容器において、前記懸吊手段が貫通孔であっても良い。これによっても、例えばフックを用いて医療用容器を吊り下げることができる。
【００２４】
前記貫通孔の前記周縁に切り欠きが形成されていることが好ましい。これにより、例えばフックに貫通孔の周縁を係合させて医療用容器を吊り下げたときに、貫通孔の周縁におけるフックの係合位置が一定となるので、医療用容器の吊り下げ時の姿勢を一定に維持することができる。
【００２５】
前記懸吊手段が前記ポートの近傍に設けられていることが好ましい。これにより、懸吊手段を用いて医療用容器を吊り下げたときにポートが常に上側を向くので、医療用容器に液状物を注入する作業を容易に行うことができる。
【００２６】
前記懸吊手段が前記ポートと一体に設けられていることが好ましい。これにより、部品点数を削減でき、また、医療用容器の製造工程を簡単化することができる。
【００２７】
前記係止手段が前記ポートと一体に設けられていることが好ましい。これにより、部品点数を削減でき、また、医療用容器の製造工程を簡単化することができる。
【００２８】
前記ポートは、その一端に前記パウチと接合される接合部を有し、その他端に前記キャップが装着されるキャップ装着部を有し、前記接合部と前記キャップ装着部との間に前記ポートを把持する把持部が設けられていることが好ましい。これにより、ポートとパウチとを融着等により一体化する工程において、ポートを把持部で把持して固定することができる。また、ポートにキャップを装着する際に、把持部を指で把持することができる。
【００２９】
前記懸吊手段により前記医療用容器を吊り下げたとき、前記パウチ内の前記液状物の量を判別するための目盛りが前記パウチに設けられていることが好ましい。これにより、医療用容器に液状物を注入する際に、液状物の液面と目盛りとを比較するだけで液状物の注入量を定量することができる。
【００３０】
本発明の医療用容器は、更に、前記ポートに取り付けられるキャップを備えていても良い。また、本発明の医療用容器は、更に、前記キャップに接続される可撓性を有する医療用チューブを備えていても良い。このように、経腸栄養法や静脈栄養法などを行うのに必要な器具をセットとして提供することにより、経腸栄養法や静脈栄養法などを実施するための準備作業を迅速且つ効率的に行うことができる。
【００３１】
以下、本発明の好ましい実施の形態を説明する。但し、本発明は下記の実施の形態に限定されないことはいうまでもない。
【００３２】
（実施の形態１）
図１は、本発明の実施の形態１に係る医療用容器（以下、単に「容器」という）１の概略を示した正面図である。本実施の形態１の容器１は、パウチ１０と、パウチ１０内に液状物を注入し、又はパウチ１０内に収納された液状物を取り出すためのポート２０とを備えている。
【００３３】
パウチ１０は、柔軟な同一寸法の２枚のシートを重ね合わせて、その周縁のシール領域１１にて接合してなる袋状物である。シートの材質は特に限定されず、通常は、２層以上の複合シートが使用される。例えば、ポリエチレンテレフタレート、ナイロン、ポリプロピレン、ポリエチレンなどのプラスチック材料の中から互いに異なる材料を選択してなる内層及び外層を含む複合シートを用いることができる。この複合シートに、バリア層として酸化アルミニウムやシリカなどの薄膜を形成してもよい。パウチ１０内の液状物の量などを確認することができるように、２枚のシートのうちの少なくとも一方は透明又は半透明であることが好ましい。パウチとして一般的なヒートシール法にて２枚のシートをシールする場合、各シートの相手方のシートと対向する面にはヒートシール層が設けられる。容器１を懸吊手段（詳細は後述する）にて吊り下げた状態においてパウチ１０内の液状物の量を目視にて判別するための目盛り１５が、パウチ１０に印刷などにより設けられていても良い。パウチ１０の、ポート２０が取り付けられた位置から最も遠い位置近傍のシール領域１１内に開口１２が形成されている。
【００３４】
図１では、略長方形の２枚のシートを重ね合わせた平袋状のパウチを示したが、本発明のパウチはこれに限定されない。例えば、袋の形状としては、平袋以外に自立袋などであっても良い。また、パウチの外形形状も、図１のような略長方形に限られず、各種多角形、長円形、又はこれらの形状の一部を切り落とした形状などであっても良い。また、パウチを構成するシートの枚数は２枚に限定されず、３枚以上であっても良い。
【００３５】
図２はポート２０の斜視図である。また、図３Ａはポート２０の上面図、図３Ｂはポート２０の側面図、図３Ｃはポート２０の下面図である。ポート２０は、液状物が通過するための通液孔２１が形成された円筒部２２と、円筒部２２の一端側の外周面上に設けられたパウチ１０との接合部２５と、円筒部２２の他端側の外周面上に形成されたキャップ装着部２６とを備えている。ポート２０には、更に、可撓性を有する医療用チューブ又は医療用チューブを束ねた結束手段を係止するための係止手段３０と、容器１を吊り下げるための懸吊手段３１とが設けられている。ポート２０は、例えば、ポリエチレン、ポリプロピレン、ポリ塩化ビニル、ポリエチレンテレフタレート、エチレン酢酸ビニルコポリマー、熱可塑性エラストマー、ポリアセタール等のパウチ１０に比べて相対的に硬い材料からなり、例えば射出成型にて係止手段３０及び懸吊手段３１と一体に製造することができる。
【００３６】
接合部２５は底面が略菱形である四角柱形状を有し（図３Ｃ参照）、パウチ１０を構成する２枚のシートの周縁間に挟んでヒートシールすることにより、パウチ１０と接合され一体化される（図１参照）。
【００３７】
キャップ装着部２６には、通液孔２１の開口を覆うように、キャップ（例えば図６のキャップ５０）が装着される。本実施の形態では、キャップ装着部２６は、キャップに形成された雌ねじと螺合する雄ねじからなる。但し、キャップ装着部２６はこれに限定されず、キャップと係合してキャップを装着することができる周知の形状で構成することができる。
【００３８】
ポート２０は、更に、可撓性を有する医療用チューブ又は医療用チューブを束ねた結束手段を係止するための係止手段３０を備える。係止手段３０は、円筒部２２の外周面の、接合部２５とキャップ装着部２６との間の部分に突出して設けられている。これにより、係止手段３０をポート２０に一体成形することができるので、部品点数を削減できる。しかも、係止手段３０が設けられたポート２０を小型化することができる。本実施の形態１では、係止手段３０は、一対のアーム３１，３２を備える。一対のアーム３１，３２はそれぞれ略円弧状に湾曲しており、係止手段３０は全体として略Ｃ字形状を有している。一対のアーム３１，３２で囲まれた略円状の領域内に医療用チューブを挿入することで、医療用チューブを係止手段３０に係止し保持させることができる。このとき、医療用チューブを結束手段で束ねても良い。あるいは、医療用チューブを束ねた結束手段を一対のアーム３１，３２で囲まれた略円状の領域内に挿入しても良い。ここで、結束手段としては、ベルト、ひも、ゴム紐など医療用チューブを束ねることができるものであれば特に制限はなく、その材質も特に制限はない。一対のアーム３１，３２のうちの一方のアーム（以下、第１アームという）３１の先端３１ａと他方のアーム（以下、第２アームという）３２の先端３２ａとは、この間を医療用チューブ又は結束手段が通過できるように僅かに離間している。但し、係止手段３０に係止された医療用チューブ又は結束手段が意図せずにこれから外れるのを防ぐために、先端３１ａと先端３２ａとの間の間隔は医療用チューブ又は結束手段の外寸法よりも小さいことが好ましい。
【００３９】
ポート２０は、更に、容器１を吊り下げるための懸吊手段を備える。本実施の形態１では、懸吊手段は第１アーム３１により構成される。一対のアーム３１，３２のうち、キャップ装着部２６側の第１アーム３１を懸吊手段とすることにより、通液孔２１のキャップ装着部２６側の開口が上側を向いた状態で容器１を吊り下げることができるので、パウチ１０内に液状物を注入する作業を容易に行うことができる。また、係止手段を構成する第１アーム３１を懸吊手段を構成する部材としても用いることにより、部品点数を削減でき、ポート２０を小型化することができる。
【００４０】
第１アーム３１の内周縁（第２アーム３２と対向する側の周縁）には切り欠き４０が形成されていることが好ましい。容器１をフックなどに吊り下げる際に、フックが切り欠き４０に嵌合することにより、フックによる吊り下げ位置が一定となるので、容器１の吊り下げ時の姿勢は一定となる。
【００４１】
一対のアーム３１，３２のうち、懸吊手段を構成する第１アーム３１の強度（剛性）は、第２アーム３２の強度より大きいことが好ましい。第１アーム３１が相対的に大きな強度を有していることにより、液状物が収納された容器１を第１アーム３１を利用して吊り下げたときに、第１アーム３１が変形や破壊をすることがない。一方、第２アーム３２が相対的に小さな強度を有していることにより、第２アーム３２を図２の矢印３２ｂ方向に容易に弾性変形させることができる。従って、係止手段３０に医療用チューブ又は結束手段を保持させる際、または、係止手段３０に保持された医療用チューブ又は結束手段を係止手段３０から開放する際に、第１アーム３１の先端３１ａと第２アーム３２の先端３２ａとの間を医療用チューブ又は結束手段を通過させやすくなり、作業性が向上する。一対のアーム３１，３２の各強度を上記のように異ならせるためには、例えば図２に示すようにその厚みＴ１，Ｔ２を異ならせれば良い。あるいは、一対のアーム３１，３２の幅Ｗ１，Ｗ２を異ならせても良い。
【００４２】
あるいは、一対のアーム３１，３２のうちの少なくとも一方の先端部分（先端３１ａ及び／又は先端３２ａの近傍の部分）の強度（剛性）は、その根元部分（円筒部２２近傍の部分）の強度よりも小さくしても良い。例えば、一対のアーム３１，３２の厚みＴ１，Ｔ２及び幅Ｗ１，Ｗ２を根元部分から先端３１ａ，３２ａに至るまで一定にするのではなく、厚み（厚みＴ１又は厚みＴ２）又は幅（幅Ｗ１又は幅Ｗ２）を、根元部分よりも先端部分にて小さくすることができる。このように、一対のアーム３１，３２のうちの少なくとも一方の先端部分の強度を小さくすることにより、係止手段３０に医療用チューブ又は結束手段を保持させる際、または、係止手段３０に保持された医療用チューブ又は結束手段を係止手段３０から開放する際に、強度が小さな先端部分を弾性変形させることにより、先端３１ａと先端３２ａとの間を医療用チューブ又は結束手段を通過させやすくなり、作業性が向上する。アームの強度は、根元部分より先端に向かって徐々に低下しても良いし、根元部分と先端との間の１箇所又は複数箇所で階段状に低下しても良い。但し、懸吊手段として機能する第１アーム３１については、容器１をフックなどに吊り下げた際にフックが係合する第１アーム３１の箇所から第１アーム３１の根元部分までの部分は、液状物が注入された容器１の重量に耐えることができる強度を有している必要がある。
【００４３】
図３Ｂに示すように、一対のアーム３１，３２の内周側より外周側で先端３１ａ，３２ａ間の間隔が広くなるように、先端３１ａ，３２ａの端面が傾斜していることが好ましい。これにより、医療用チューブ又はその結束手段を先端３１ａと先端３２ａとの間に通過させやすくなる。一対のアーム３１，３２の先端３１ａ，３２ａの中心線３３に対する開き角度θ11，θ12はいずれも３０°以上６０°以下、更には４５°が好ましい。また、先端３１ａ，３２ａの開き角度θ10は６０°以上１２０°以下、更には９０°が好ましい。開き角度θ11，θ12，θ10が前記条件を満足すると、医療用チューブ又はその結束手段を先端３１ａと先端３２ａとの間により容易に通過させることができる。
【００４４】
図１に示されるように、一対のアーム３１，３２を含む面は、パウチ１０の主面とほぼ平行であることが好ましい。ここで、パウチ１０の主面とは、ポート２０の接合部２５が接合されたことにより膨らんだ部分を除く、空のパウチ１０の主要部がなす面を意味し、これは図１の紙面と平行である。特に、一対のアーム３１，３２を含む面とパウチ１０の主面とが同一であることが好ましい。これにより、複数の空の容器１をパウチ１０の主面が重なり合うように且つ同じ向きに積み重ねたときに、ポート２０が積み重ねられた部分の高さを低くすることができる。従って、例えば、複数の空の容器１をかさばることなく小さく収納することができ、また、これらを積み重ねても荷崩れしにくいので、容器１の取り扱い性が向上する。また、一般に接合部２５の長軸方向はパウチ１０の主面と平行に設定されるので、一対のアーム３１，３２を含む面に接合部２５の略菱形底面の長軸方向を沿わせることができる。この結果、ポート２０の成形性が向上する。
【００４５】
次に、本実施の形態１の容器１の使用方法の一例を説明する。
【００４６】
容器１は、空の状態で例えば病院等に供給される。図４に示すように、例えばイルリガートル台９９２に吊り下げられたＳ字フック９９１を第１アーム３１の切り欠き４０に嵌合させて、容器１をイルリガートル台９９２に吊り下げる。そして、ポート２０の通液孔２１に例えば可撓性を有するチューブ（図示せず）を挿入し、このチューブを介して流動食や輸液などの液状物をパウチ１０内に注入する。あるいは、通液孔２１に漏斗を挿入し、この漏斗を介して液状物をパウチ１０内に注入しても良い。第１アーム３１がポート２０の通液孔２１の近傍に設けられているので、ポート２０の通液孔２１の開口が上方を向いた状態で容器１を吊り下げることができる。また、ポート２０が相対的に硬い材料から構成されているので、通液孔２１の開口形状は実質的に一定である。更に、Ｓ字フック９９１が第１アーム３１の切り欠き４０に嵌合することにより、液状物が注入されている間中、容器１は一定の姿勢で吊り下げられる。従って、作業者（例えば看護師）は、液状物を注入している間、容器１を保持し続ける必要がない。
【００４７】
パウチ１０内に注入された液状物の液面がパウチ１０に設けられた所定の目盛り１５に一致すると、液状物の注入を停止する。液状物を注入している間も容器１の姿勢は一定に維持されるので、パウチ１０内の液状物の液面と目盛り１５とを比較するという簡単な方法で液状物の注入量を正確に定量することができる。
【００４８】
液状物のパウチ１０内への注入が終了すると、通液孔２１に挿入していたチューブ（又は漏斗）を抜き取り、ポート２０の先端のキャップ装着部２６にキャップを取り付ける。キャップには、ポート２０のキャップ装着部２６の雄ねじと螺合する雌ねじが形成されている。キャップとしては、医療用チューブの一端に挿入される筒状体が一体化されたもの、または医療用チューブの一端に取り付けられた中空針を突き刺すことができるゴム栓が設けられたものなど、公知のキャップを適宜選択して用いることができる。更に、キャップに可撓性を有する医療用チューブを接続する。医療用チューブとしては、特に制限はなく、公知の輸液セット又は栄養セットを適宜選択して用いることができる。かくして、パウチ１０内と医療用チューブとはキャップを介して連通した状態となる。その後、容器１をＳ字フック９９１から取り外し、図５に示すように医療用チューブ６０をゴム紐等の結束手段６８で束ね、医療用チューブ６０を係止手段３０に保持させる。図５において、５０はポート２０に取り付けられたキャップである。容器１はこの状態にて患者のいる病室に搬送される。長尺の医療用チューブ６０が係止手段３０に保持されるので、搬送過程で医療用チューブ６０がばらけたり、絡まったりすることがない。なお、医療用チューブ６０には流量を調整するためのクランプ６１が設けられているので、パウチ１０内の液状物が医療用チューブ６０を通じて漏れ出すことはない。６２は医療用チューブ６０の途中に設けられた点滴筒、６３は医療用チューブ６０の先端に設けられた雄コネクタである。
【００４９】
病室に搬送された容器１は、図６に示すように、例えばイルリガートル台９９５に吊り下げられたＳ字フック９９６をパウチ１０のシール領域１１内に形成された開口１２内に通すなどしてイルリガートル台９９５に吊り下げられる。開口１２はパウチ１０のポート２０が取り付けられた位置に対してほぼ対角位置に形成されているので、ポート２０が下方を向いて、容器１が吊り下げられる。
【００５０】
次いで、係止手段３０から医療用チューブ６０を開放し、医療用チューブ６０を結束していた結束手段６８を解く。そして、医療用チューブ６０のキャップ５０に接続された端部とは反対側の雄コネクタ６３を患者側に接続し、医療用チューブ６０のクランプ６１を開放して、パウチ１０内の液状物を患者に投与する。容器１内の液状物の残量を目視にて判別するための目盛りがパウチ１０に印刷などにより設けられていても良い。
【００５１】
図５及び図６では、結束手段６８で束ねられた医療用チューブ６０を係止手段３０に保持させる場合を説明したが、本発明はこれに限定されず、医療用チューブ６０を束ねた結束手段６８を係止手段３０に保持させても良い。あるいは、結束手段６８を用いることなく、医療用チューブ６０を係止手段３０に束ねて保持させても良い。
【００５２】
上記の実施の形態では、係止手段３０を構成する一対のアーム３１，３２は全体として略円形となるように湾曲していたが、本発明はこれに限定されない。例えば、一対のアーム３１，３２が全体として、図７（Ａ）に示すように略三角形となるように屈曲していても良く、図７（Ｂ）に示すように略四角形となるように屈曲していても良く、更に、これら以外の各種多角形、楕円、長円等となるように屈曲又は湾曲していても良い。いずれの場合も、キャップ装着部２６側の第１アーム３１を容器１を吊り下げるための懸吊手段として用いることができる。図７（Ａ）では、三角形の辺を構成する第１アーム３１の内周縁に切り欠き４０が形成されている。同様に、図７（Ｂ）では、四角形の辺を構成する第１アーム３１の内周縁に切り欠き４０が形成されている。なお、フックなどを用いて容器１を吊り下げたときにフックが第１アーム３１の内周縁が形成する三角形又は四角形の１つのコーナー部４１に嵌合して、容器１を所望する姿勢で安定して吊り下げることができるのであれば、切り欠き４０を設ける必要はない。
【００５３】
（実施の形態２）
本実施の形態２は、ポートに関してのみ実施の形態１と異なる。実施の形態１と重複する説明を省略し、実施の形態１と異なる点について以下に説明する。
【００５４】
図８は本実施の形態２のポート７０の斜視図である。また、図９Ａはポート７０の上面図、図９Ｂはポート７０の側面図、図９Ｃはポート７０の下面図である。ポート７０は、液状物が通過するための通液孔２１が形成された円筒部２２と、円筒部２２の一端側の外周面上に設けられた接合部２５と、円筒部２２の他端側の外周面上に形成されたキャップ装着部（雄ねじ）２６とを備えている。ポート７０には、更に、可撓性を有する医療用チューブ又は医療用チューブを束ねた結束手段を係止するための係止手段８０と、容器１を吊り下げるための懸吊手段として機能する貫通孔９０とが一体に設けられている。
【００５５】
係止手段８０は、円筒部２２の外周面の、接合部２５とキャップ装着部２６との間の部分に突出して設けられている。本実施の形態２では、係止手段８０は、一対のアーム８１，８２を備える。一対のアーム８１，８２はそれぞれ略円弧状に湾曲しており、係止手段８０は全体として略Ｃ字形状を有している。一対のアーム８１，８２で囲まれた略円状の領域内に医療用チューブを挿入することで、医療用チューブを係止手段８０に係止し保持させることができる。このとき、医療用チューブを結束手段で束ねても良い。あるいは、医療用チューブを束ねた結束手段を一対のアーム８１，８２で囲まれた略円状の領域内に挿入しても良い。アーム８１の先端８１ａとアーム８２の先端８２ａとは、この間を医療用チューブ又は結束手段が通過できるように僅かに離間している。但し、係止手段８０に係止された医療用チューブ又は結束手段が意図せずにこれから外れるのを防ぐために、先端８１ａと先端８２ａとの間の間隔は医療用チューブ又は結束手段の外寸法よりも小さいことが好ましい。
【００５６】
実施の形態１で説明したように、一対のアーム８１，８２は、全体として三角形、四角形などの各種多角形、楕円、長円等となるように屈曲又は湾曲していても良い。
【００５７】
また、実施の形態１と同様に、一対のアーム８１，８２のうちの少なくとも一方の先端部分（先端８１ａ及び／又は先端８２ａの近傍の部分）の強度（剛性）は、その根元部分（円筒部２２近傍の部分）の強度よりも小さくしても良い。これにより、係止手段８０に医療用チューブ又は結束手段を保持させる際、または、係止手段８０に保持された医療用チューブ又は結束手段を係止手段８０から開放する際に、強度が小さな先端部分を弾性変形させることにより、先端８１ａと先端８２ａとの間を医療用チューブ又は結束手段を通過させやすくなり、作業性が向上する。
【００５８】
また、図９Ａに示すように、一対のアーム８１，８２の内周側より外周側で先端８１ａ，８２ａ間の間隔が広くなるように、先端８１ａ，８２ａの端面が傾斜していることが好ましい。これにより、医療用チューブ又はその結束手段を先端８１ａと先端８２ａとの間に通過させやすくなる。一対のアーム８１，８２の先端８１ａ，８２ａの中心線８３に対する開き角度θ21，θ22はいずれも３０°以上６０°以下、更には４５°が好ましい。また、先端８１ａ，８２ａの開き角度θ20は６０°以上１２０°以下、更には９０°が好ましい。開き角度θ21，θ22，θ20が前記条件を満足すると、医療用チューブ又はその結束手段を先端８１ａと先端８２ａとの間により容易に通過させることができる。
【００５９】
円筒部２２の外周面の、接合部２５とキャップ装着部２６との間の部分に、円筒部２２に対して係止手段８０とは反対側に、板材９１が突出している。懸吊手段は、板材９１に形成された貫通孔９０からなる。容器１をフックなどに吊り下げる際に、フックをこの貫通孔９０に挿入することにより、フックが貫通孔９０の周縁と係合する。
【００６０】
図１０に示すように、貫通孔９０の周縁には切り欠き９５が形成されていることが好ましい。容器１をフックなどに吊り下げる際に、フックが切り欠き９５に嵌合することにより、フックによる吊り下げ位置が一定となるので、容器１の吊り下げ時の姿勢は一定となる。
【００６１】
図８及び図９Ａ〜図９Ｃでは、懸吊手段を構成する貫通孔９０の開口形状は円形であるが、本発明はこれに限定されず、楕円、長円、各種多角形などであっても良い。この場合も、容器１をフックなどに吊り下げる際に、フックが嵌合する切り欠きを貫通孔９０の周縁に形成しても良い。また、貫通孔９０の開口形状が多角形である場合、フックなどを用いて容器１を吊り下げたときにフックが多角形の１つのコーナー部に嵌合して容器１を所望する姿勢で安定して吊り下げることができるように、多角形を配置するのが好ましい。この場合には、切り欠きを設けなくても良い。
【００６２】
本実施の形態２では、係止手段８０と懸吊手段を構成する貫通孔９０とは互いに別々にポート７０に設けられているので、実施の形態１と異なり、一対のアーム８１，８２の強度は同一であっても良い。一対のアーム８１，８２を弾性変形させて係止手段８０に医療用チューブ又は結束手段を保持させたり開放させたりする際の作業性と、係止手段８０に係止された医療用チューブ又は結束手段が意図せずにこれから外れることがないという保持性とを考慮して、一対のアーム８１，８２の強度を最適設計することができる。
【００６３】
（実施の形態３）
本実施の形態３は、ポートに関してのみ実施の形態１と異なる。図１１は本実施の形態３のポート２００の斜視図である。実施の形態１と重複する説明を省略し、実施の形態１と異なる点について以下に説明する。
【００６４】
本実施の形態３のポート２００は、以下の点で実施の形態１で説明した図２、図３Ａ、図３Ｂ、図３Ｃに示したポート２０と異なる。
【００６５】
第１に、円筒部２２の外周面の、接合部２５とキャップ装着部２６との間の部分に、一対の把持部２１０が設けられている（一対の把持部２１０のうちの１つは円筒部２２の背後に設けられており見えない）。第２に、第１アーム３１に薄肉部３５が設けられている。第３に、第１アーム３１に切り欠き４０（図２参照）が設けられていない。
【００６６】
一対の把持部２１０は、円筒部２２の中心軸に対して対称な位置に設けられている。一対の把持部２１０を結ぶ直線は、一対のアーム３１，３２を含む面と垂直であり、また、接合部２５の略菱形底面の短軸方向と平行である。一対の把持部２１０は以下のように利用できる。例えば、接合部２５をパウチ１０を構成する２枚のシートの周縁間に挟んでヒートシールする際に、一対の把持部２１０を把持してポート２００を固定することができる。また、キャップ装着部２６にキャップを装着する際に、一対の把持部２１０を２本の指で把持することができる。図１１に示すように、一対の把持部２１０の表面は互いに平行な平面であることが好ましく、また、表面に滑り防止のための凹凸形状が設けられていることが好ましい。把持部２１０の数は、図１１のように２つである必要はない。例えば、多角柱の側面のように、円筒部２２の外周面に複数の把持部を形成しても良い。
【００６７】
薄肉部３５は、第１アーム３１の厚みを局所的に薄くした部分であり、これにより、ポート２００に使用される材料を少なくし、ポート２００を軽量化、低コスト化することができる。但し、第１アーム３１に必要な強度が確保されなければならないことは言うまでもない。薄肉部３５の配置や形状は図１１に限定されない。また、厚みを局所的に薄くするのではなく、第１アーム３１に局所的に貫通孔を形成しても良い。図１１では、一対のアーム３１，３２のうち、相対的に厚みの厚い第１アーム３１に薄肉部３５を設けたが、第２アーム３２に薄肉部３５を設けても良い。
【００６８】
実施の形態２で説明したポート７０にも、本実施の形態３と同様の把持部を設けることができる。
【００６９】
上記の実施の形態１〜３では、ポートと係止手段と懸吊手段とが一体化されて一部品を構成していた。これにより、部品点数を少なくでき、また、容器１の製造工程を簡単化できるなどの効果を有する。但し、本発明はこれに限定されず、ポート、係止手段、及び懸吊手段のうちの１つが他の２つと別個の部品であっても良く、あるいはこれらが互いに分離独立した部品であっても良い。ポートと係止手段と懸吊手段とが一体化された一部品でない場合、複数の部品を、パウチ１０を構成する２枚のシートの周縁間にそれぞれ別々に挟んでヒートシールしてパウチ１０と接合一体化しても良く、あるいは、複数の部品を一部品に組み立てた後、この一部品をパウチ１０を構成する２枚のシートの周縁間に挟んでヒートシールしてパウチ１０と接合一体化しても良い。但し、図４に示すように懸吊手段を用いて容器１を吊り下げたときに、ポートの貫通孔の開口が上方を向く必要があるので、ポートと懸吊手段とは互いに近接して配置されることが好ましい。
【００７０】
上記の実施の形態１〜３では、一対のアーム３１，３２；８１，８２はほぼ同一長さを有していたが、一対のアーム３１，３２；８１，８２の長さが異なっていても良い。
【００７１】
本発明のポートのキャップ装着部２６に装着されるキャップとしては、医療用チューブの一端が接続されて、パウチ１０内の液状物を医療用チューブへ流出させるコネクタが設けられたキャップに限定されず、このようなコネクタが形成されておらず、ポートの通液孔２１を単に閉じるだけの機能を有するキャップであっても良い。
【産業上の利用可能性】
【００７２】
本発明の利用分野は特に制限はなく、経腸栄養法や静脈栄養法などを行う際に患者に投与する液状物を収納するための医療用容器及びこれに用いられるポートとして広範囲に利用することができる。
【図面の簡単な説明】
【００７３】
【図１】図１は、本発明の実施の形態１に係る医療用容器の概略を示した正面図である。
【図２】図２は、本発明の実施の形態１に係る医療用容器のポートの斜視図である。
【図３Ａ】図３Ａは、本発明の実施の形態１に係る医療用容器のポートを示した上面図である。
【図３Ｂ】図３Ｂは、本発明の実施の形態１に係る医療用容器のポートを示した側面図である。
【図３Ｃ】図３Ｃは、本発明の実施の形態１に係る医療用容器のポートを示した下面図である。
【図４】図４は、本発明の実施の形態１において、空の医療用容器が吊り下げられた状態を示した図である。
【図５】図５は、本発明の実施の形態１において、医療用チューブが係止手段に保持された医療用容器を示した図である。
【図６】図６は、本発明の実施の形態１において、医療用容器内の液状物が患者に投与される直前の状態を示した図である。
【図７】図７（Ａ）及び図７（Ｂ）は、本発明の実施の形態１に係る医療用容器において、別の係止手段が設けられたポートの側面図である。
【図８】図８は、本発明の実施の形態２に係る医療用容器のポートの斜視図である。
【図９Ａ】図９Ａは、本発明の実施の形態２に係る医療用容器のポートを示した上面図である。
【図９Ｂ】図９Ｂは、本発明の実施の形態２に係る医療用容器のポートを示した側面図である。
【図９Ｃ】図９Ｃは、本発明の実施の形態２に係る医療用容器のポートを示した下面図である。
【図１０】図１０は、本発明の実施の形態２に係る医療用容器の別のポートの斜視図である。
【図１１】図１１は、本発明の実施の形態３に係る医療用容器のポートの斜視図である。
【図１２】図１２は、従来の医療用容器の一例を示した正面図である。
【符号の説明】
【００７４】
１  医療用容器
１０  パウチ
１１  シール領域
１２  開口
１５  目盛り
２０  ポート
２１  通液孔
２２  円筒部
２５  接合部
２６  キャップ装着部
３０  係止手段
３１  第１アーム（懸吊手段）
３２  第２アーム
３１ａ，３２ａ  アーム先端
３５  薄肉部
４０  切り欠き
５０  キャップ
６０  医療用チューブ
６８  結束手段
７０  ポート
８０  係止手段
８１，８２  アーム
８１ａ，８２ａ  アーム先端
９０  貫通孔（懸吊手段）
９１  板材
９５  切り欠き
２００  ポート
２１０  把持部
【図１】
2008132302.tif 000003
【図２】
2008132302.tif 000004
【図３Ａ】
2008132302.tif 000005
【図３Ｂ】
2008132302.tif 000006
【図３Ｃ】
2008132302.tif 000007
【図４】
2008132302.tif 000008
【図５】
2008132302.tif 000009
【図６】
2008132302.tif 000010
【図７】
2008132302.tif 000011
【図８】
2008132302.tif 000012
【図９Ａ】
2008132302.tif 000013
【図９Ｂ】
2008132302.tif 000014
【図９Ｃ】
2008132302.tif 000015
【図１０】
2008132302.tif 000016
【図１１】
2008132302.tif 000017
【図１２】
2008132302.tif 000018